(57)【要約】【課題】包装体袋口の被折り面の折り曲げ部位を結束部位に集束できるようにすると共に、包装体の袋口の結束部位の新たな位置を要とする扇形状に展開できるようにする。【解決手段】被折り面を有した包装体の袋口を折り込んで扇状にする袋口折込方法であって、包装体の略中央上部から同中央下部へ所定距離隔てた位置を結束部位とし、結束部位を含む中央上下線分と略直交する補助線分を規定したとき、当該補助線分に沿って包装体の両側端部から結束部位に向けて被折り面を山折り及び谷折りを繰り返す工程と、被折り面を山折り及び谷折りを繰り返すことにより生じた折り曲げ部位を結束部位に集束する工程と、結束部位に集束された当該包装体の折り曲げ部位を結束する工程と、結束された包装体の袋口の中央上部を引っ張り出す工程とを有するものである。【選択図】  図５
2008213902.tif 000002
【特許請求の範囲】
【請求項１】
被折り面を有した包装体の袋口を折り込んで所定形状にする袋口折込方法であって、
前記包装体の略中央上部から同中央下部へ所定距離隔てた位置を結束部位とし、前記略中央上部から前記結束部位へ延びて前記結束部位を含む中央上下線分と略直交する補助線分を規定したとき、
前記補助線分から前記略中央上部側の部位の被折り面を当該補助線分に沿って前記包装体の両側端部から前記結束部位に向けて山折り及び谷折りを繰り返す工程と、
前記被折り面を山折り及び谷折りを繰り返すことにより生じた折り曲げ部位を前記結束部位に集束する工程と、
前記結束部位に集束した包装体の折り曲げ部位を結束する工程と、
前記結束された前記包装体の袋口の前記略中央上部を引っ張り出す工程とを有することを特徴とする袋口折込方法。
【請求項２】
被折り面を有した包装体の袋口を折り込んで所定形状にする袋口折込方法であって、
前記包装体の略中央上部から同中央下部へ所定距離隔てた位置を結束部位とし、前記略中央上部から前記結束部位へ延びて前記結束部位を含む中央上下線分と略直交する補助線分を規定したとき、
前記補助線分から前記略中央上部側の部位の被折り面を当該補助線分に沿って前記包装体の両側端部から前記結束部位に向けて山折り及び谷折りを繰り返す工程と、
前記被折り面を山折り及び谷折りを繰り返すことにより生じた折り曲げ部位を前記結束部位に集束する工程と、
前記結束部位に集束された前記包装体の袋口の前記略中央上部を引っ張り出す工程と、
前記引っ張り出された前記包装体の袋口の前記略中央上部の折り曲げ部位を結束する工程とを有することを特徴とする袋口折込方法。
【発明の詳細な説明】
【技術分野】
【０００１】
この発明は、食品、その他の商品等を収納した包装体の袋口を折り畳んで扇形状に拡幅する袋口ひだ形成装置に適用可能な袋口折込方法に関する。詳しくは、被折り面を有した包装体の袋口を折り込んで所定形状にする場合に、包装体の両側端部から結束部位に向けて被折り面を山折り及び谷折りを繰り返し、これにより生じた折り曲げ部位を結束部位に集束し、その後、この結束部位に集束された当該包装体の折り曲げ部位を結束し、結束後の包装体の袋口の中央上部を引っ張り出すことで、包装体の袋口の結束部位の新たな位置を要とする扇形状に展開できるようにしたものである。
【背景技術】
【０００２】
近年、食品、その他の商品等を収納した包装体の袋口を体裁良く、かつ、見栄えを良くするために、当該包装体の袋口に多数の折り目を均等に付けて折り込み、その結束部位をツイストタイ等の結束具で結束し、その結束部分を要として袋口を扇状に形成する場合が多くなってきた。
【０００３】
図６Ａ〜Ｃは、従来例に係る包装体１’のひだ折り例を示す説明図である。図６Ａに示す包装体１’内には、食品、その他の商品等が収納される。図中では、包装体１’の中の食品等を省略している。図中、上部及び下部の水平方向の破線で示す部位は、袋閉じ代であり、食品等が袋体の中に収納された時点で封止される部分である。
【０００４】
また、垂直方向の破線は袋の中心線ｃである。図中の包装体１’の上部から長さｌに至る部分が被折り面IIを成し、袋口がひだ折りされる領域である。この被折り面IIにおいて、実線は、例えば、山折り部分であり、破線は谷折り部分である。包装体１’で、略中央上部から同中央下部へ所定距離ｌだけ隔てた位置を結束部位ｑとしたとき、当該包装体１’の両側端部から結束部位ｑに向けて被折り面IIを山折り及び谷折りを繰り返すようになされる。
【０００５】
図６Ｂは、図６Ａから結束部位ｑに隣接した山折り部分及び谷折り部分を抜き出した例を示す図である。この例では、図６Ｂに示す結束部位ｑと同様に包装体１’の上縁部から下縁部側へ所定距離ｌだけ隔てた位置に存在するｘ点を、図６Ｃに示す結束部位ｑの位置に寄せるために、ｘ点からｘ’点への水平方向に引っ張りながら折り込むようになされる。このような被折り面IIの山折り及び谷折りを繰り返すことにより形成された折り曲げ部位は、図６Ｃに示す結束部位ｑに集束するようになされる。
【０００６】
図７は包装体１’のひだ折り後の処理例を示す説明図である。図７に示す包装体１’によれば、ひだ折り後に、折り曲げ部位の左右を引っ張って扇状に展開するようになされる。例えば、結束部位ｑをツイストタイ等の結束具で結束し、その結束部分を要として、折り曲げ部位の上部を左右に引っ張って袋口を扇状に展開するようになされる。
【０００７】
このような包装体１’に係る袋口ひだ折り方法に関連して、特許文献１には、薄膜折畳結束装置が開示されている。この薄膜折畳結束装置によれば、袋体の被折り面を経文板間に挟んで、当該経文板を水平方向から中央部へ寄せるようになされる。このように装置を構成すると、経文状に折り畳まれた薄膜から成る包装体を能率良く結束できるようになると共に、多量かつ均一な包装体が得られるというものである。
【０００８】
また、特許文献２には、包装体袋口ひだ付け機における経文板状帯体支持、並びに、ひだ付き下部しぼり装置が開示されている。このひだ付き下部しぼり装置によれば、包装体の被折り面を上下の経文板状の帯体間に挟んで、当該上下の経文板状の帯体を水平方向から中央部へ寄せるようになされる。このように装置を構成すると、経文板状の帯体に折り畳まれた包装体の被折り面を緊縛包装できるようになるというものである。
【０００９】
【特許文献１】実公昭５５−１８２４９号公報（第１頁  図３）
【特許文献２】実公昭５６−２４１６３号公報（第２頁  図３）
【発明の開示】
【発明が解決しようとする課題】
【００１０】
しかしながら、特許文献１及び２に見られるような従来方式の薄膜折畳結束装置やひだ付き下部しぼり装置等の袋口ひだ形成方法によれば、袋口ひだ折り時、包装体１’の長手方向に並行に多数の折り目を入れ込まれるだけなので、袋口の扇状の展開度合いが不十分であった。
【００１１】
これは、袋口が扇状へ拡がろうとする開口力が袋体を成す素材の材質が持つ復元力に依存しているためと考えられる。そのため、袋口を結束具等で結束した後、その上部を手作業で扇形に広げなくてはならなかった。
【００１２】
そこで、本発明は、上述の課題に鑑み創作されたものであり、包装体袋口の被折り面の折り曲げ部位を結束部位に集束できるようにすると共に、包装体の袋口の結束部位の新たな位置を要とする扇形状に展開できるようにした袋口折込方法を提供することを目的とする。
【課題を解決するための手段】
【００１３】
上記課題を解決するために、本発明に係る第１の袋口折込方法は、被折り面を有した包装体の袋口を折り込んで所定形状にする袋口折込方法であって、包装体の略中央上部から同中央下部へ所定距離隔てた位置を結束部位とし、略中央上部から結束部位へ延びて結束部位を含む中央上下線分と略直交する補助線分を規定したとき、補助線分から略中央上部側の部位の被折り面を当該補助線分に沿って包装体の両側端部から結束部位に向けて山折り及び谷折りを繰り返す工程と、被折り面を山折り及び谷折りを繰り返すことにより生じた折り曲げ部位を結束部位に集束する工程と、結束部位に集束した包装体の折り曲げ部位を結束する工程と、結束された包装体の袋口の略中央上部を引っ張り出す工程とを有することを特徴とするものである。
【００１４】
本発明に係る第１の袋口折込方法によれば、被折り面を有した包装体の袋口を折り込んで所定形状にする際に、折り曲げ部位を結束部位に集束させたとき、結束部位が補助線分上に存在する。この状態から包装体の中央上部を引っ張り出すと、補助線分から引っ張り出した方向に結束部位が移動して、包装体袋口の両側に開口力が働き、当該包装体の袋口の結束部位の新たな位置を要とする扇形状に展開できるようになる。
【００１５】
本発明の第２の袋口折込方法は、被折り面を有した包装体の袋口を折り込んで所定形状にする袋口折込方法であって、包装体の略中央上部から同中央下部へ所定距離隔てた位置を結束部位とし、略中央上部から結束部位へ延びて結束部位を含む中央上下線分と略直交する補助線分を規定したとき、補助線分から略中央上部側の部位の被折り面を当該補助線分に沿って包装体の両側端部から結束部位に向けて山折り及び谷折りを繰り返す工程と、被折り面を山折り及び谷折りを繰り返すことにより生じた折り曲げ部位を結束部位に集束する工程と、結束部位に集束された包装体の袋口の略中央上部を引っ張り出す工程と、引っ張り出された包装体の袋口の略中央上部の折り曲げ部位を結束する工程とを有することを特徴とするものである。
【００１６】
本発明に係る第２の袋口折込方法によれば、被折り面を有した包装体の袋口を折り込んで所定形状にする際に、第１の袋口折込方法に対して、包装体の折り曲げ部位を結束する工程と、袋口の中央上部を引っ張り出す工程とを入れ換えた場合であっても、包装体の中央上部を引っ張り出すと、補助線分から引っ張り出した方向に結束部位が移動して、包装体袋口の両側に開口力が働き、当該包装体の袋口の結束部位の新たな位置を要とする扇形状に展開できるようになる。
【発明の効果】
【００１７】
本発明に係る第１の袋口折込方法によれば、包装体の両側端部から結束部位に向けて被折り面を山折り及び谷折りを繰り返すことにより生じた折り曲げ部位を結束部位に集束し、その後、この結束部位に集束された当該包装体の折り曲げ部位を結束し、結束後の包装体の袋口の中央上部を引っ張り出すようになされる。
【００１８】
この構成によって、引っ張り出された袋口の中央部（結束部位）が引っ張り出した方向に移動することで、包装体の中央上部から両側に開口力が働いて、包装体の袋口の結束部位を新たな位置を要とする扇形状に展開できるようになる。
【００１９】
本発明に係る第２の袋口折込方法によれば、包装体の両側端部から結束部位に向けて被折り面を山折り及び谷折りを繰り返すことにより生じた折り曲げ部位を結束部位に集束し、その後、包装体の袋口の略中央上部を引っ張り出し、ここに引っ張り出された包装体の袋口の略中央上部の折り曲げ部位を結束するようになされる。
【００２０】
この構成によっても、引っ張り出された袋口の結束部位が引っ張り出した方向に移動することで、包装体の中央上部から両側に開口力が働いて、包装体の袋口の結束部位を新たな位置を要とする扇形状に展開できるようになる。
【発明を実施するための最良の形態】
【００２１】
以下、図面を参照しながら、この発明に係る実施形態としての袋口折込方法について説明をする。
【００２２】
図１〜図４は、本発明に係る実施形態としての包装体１の袋口ひだ折り処理例（その１〜４）を示す工程図である。図５は、その袋口ひだ折り例を示すフローチャートである。この例では、被折り面を有した包装体１の袋口を折り込んで扇状に展開する場合を前提とする。
【００２３】
図１Ａに示す包装体１は、袋口折込方法が適用される袋体であり、通常、食品、その他の商品等を収納した袋体の袋口を折り込んで（折り畳んで）扇状（所定形状）に展開するようになされる。図中では、包装体１の中の食品等を省略している。包装体１の大きさは、幅がＷ［ｍｍ］で長さがＬ［ｍｍ］程度である。包装体１には、フィルム状の袋体が使用される。
【００２４】
図１Ａにおいて、上部及び下部の水平方向の破線で示す部位は袋閉じ代であり、食品等が袋体の中に収納された時点で封止される部分である。封止部分は、内容物がはみ出さないように熱圧着等により厳重に綴じられる。また、垂直方向の破線は袋の中心線ｃである。なお、図中の包装体１の上部から長さｌに至る部分が被折り面IIを成し、袋口がひだ折りされる領域である。
【００２５】
ここで包装体１の略中央上部から同中央下部へ距離ｌだけ隔てた位置を結束部位ｑとし、その結束部位ｑを含む中心線ｃ（中央上下線分）と略直交する二点鎖線を補助線分αと規定する。この例では、図１Ｂに示す包装体１には、図１Ａに示した補助線分αからほぼ垂直方向へ延びる複数の折り目が施される。図１Ｂに示す補助線分αから垂直方向へ延びる実線は、例えば、山折り部分であり、同破線は谷折り部分である。
【００２６】
このような複数の折り目は、実公昭５５−１８２４９号公報に開示されるような薄膜折畳結束装置や、実公昭５６−２４１６３号公報に開示されるような袋口ひだ付き下部しぼり装置によって施すことができる。例えば、上部アーム間に直線状に沿って経文板状の帯体が展開可能な山折り機構を有する上部フレームと、同じく下部アーム間に直線状に沿って経文板状の帯体が展開可能な谷折り機構を有する下部フレームとで包装体１の被折り面IIを挟み込むことにより、補助線分αからほぼ垂直に上方に延びる複数の折り目を与えることができる。
【００２７】
これらを前提にして、図５に示すフローチャートのステップＳＴ１で図２に示す包装体１が白抜き矢印のように、両側端部から結束部位ｑに向かって、つまり、直線状の線分に沿って包装体１のほぼ中心線ｃ上に袋口を折り畳む（折り込む）ようになされる。このとき、補助線分αに沿って包装体１の両側端部から結束部位ｑに向けて被折り面IIを山折り及び谷折りを繰り返すようになされる。
【００２８】
これにより、ステップＳＴ２で、先の図１Ｂで複数の折り目が与えられた包装体１は、その被折り面IIの山折り及び谷折りを繰り返すことにより生じた折り曲げ部位が結束部位ｑに集束するようになる。
【００２９】
その後、ステップＳＴ３で、図３に示す結束部位ｑに集束された当該包装体１の折り曲げ部位を結束する。例えば、現在特許出願中（特願２００６−２８６５１１号）の結束機を使用して包装体１の結束部位ｑをツイストタイ等の結束具２を使用してねじり綴じ処理する。そして、ステップＳＴ４で、結束後の包装体１の袋口の中央上部を引っ張り出す。
【００３０】
例えば、中央部に集束された包装体１の袋口の結束部位ｑを袋口保持機構で保持した状態から、山折り機構及び谷折り機構から開放された状態で、袋口の中央上部を保持張力機構により挟んで引っ張り出し、その後、袋口の中央上部を開放する機構が考えられる。このような機構によって、包装体１の結束部位ｑが引っ張り出した方向（図示上方向）へ引っ張り出されるので、積極的に扇形に拡がろうとする力が発生する。もちろん、保持張力機構によることなく、作業者の手で引っ張り出してもよい。これにより、図４に示す包装体１の被折り面IIのように、引っ張り出された新たな位置に変位した結束部位ｑ’を要とする扇状にきれいに展開することができ、その扇形態を結束具２で維持できるようになる。
【００３１】
なお、ステップＳＴ５で目標の包装体１について袋口折込処理を終了したかを判別する。この際の判別はユーザである。全ての包装体１について袋口折込処理を終了していない場合は、ステップＳＴ１に戻って上述の処理を繰り返すようになされる。
【００３２】
このように、実施形態としての包装体１の袋口ひだ折り方法によれば、被折り面IIを有した包装体１の袋口を折り込んで扇状に展開する際に、折り曲げ部位を結束部位ｑに集束させたとき、結束部位ｑが補助線分α上に存在する。この状態から包装体１の中央上部が引っ張り出されると、補助線分αから引っ張り出した方向に結束部位ｑが移動し、包装体袋口の両側に開口力が働いて、当該包装体１の袋口の結束部位ｑの移動後の新たな位置ｑ’を要とする扇形状に展開できるようになる。
【産業上の利用可能性】
【００３３】
この発明は、食品、その他の商品等を収納した包装体の袋口を折り畳んで結束部位を要とする扇形状に展開する袋口ひだ形成装置に適用して極めて好適である。
【図面の簡単な説明】
【００３４】
【図１】（Ａ）及び（Ｃ）は、本発明に係る実施形態としての包装体１の袋口ひだ折り処理例（その１）を示す工程図である。
【図２】包装体１の袋口ひだ折り処理例（その２）を示す工程図である。
【図３】包装体１の袋口ひだ折り処理例（その３）を示す工程図である。
【図４】包装体１の袋口ひだ折り処理例（その４）を示す工程図である。
【図５】包装体１の袋口ひだ折り例を示すフローチャートである。
【図６】（Ａ）〜（Ｃ）は、従来例に係る包装体１’のひだ折り例を示す説明図である。
【図７】包装体１’のひだ折り後の処理例を示す説明図である。
【符号の説明】
【００３５】
１，１’・・・包装体、２・・・結束具
【図１】
2008213902.tif 000003
【図２】
2008213902.tif 000004
【図３】
2008213902.tif 000005
【図４】
2008213902.tif 000006
【図５】
2008213902.tif 000007
【図６】
2008213902.tif 000008
【図７】
2008213902.tif 000009